(57)【要約】【課題】  第三者によって作成された番組のダイジェストに関する情報を取得し、この情報に基づいて録画番組の未再生部分及び使用者の視聴可能時間等を考慮しつつ録画番組のダイジェスト再生を実行する再生装置を提供する。【解決手段】  ダイジェスト情報管理部２７は、録画／再生処理部２４から録画処理及び再生処理に関する情報を取得し、これらの情報に基づいて所定の番組録画情報及び番組再生履歴情報を生成する。また、ダイジェスト情報管理部２７は、ネットワーク３０上のサーバ４０から予め蓄積されているダイジェスト情報を取得する。この番組録画情報、番組再生履歴情報及びダイジェスト情報は、ハードディスク２５に記録して管理される。そして、ダイジェスト情報管理部２７は、これらの情報から所定のユーザダイジェスト情報を作成し、ユーザダイジェスト情報に従って録画番組のダイジェスト再生に関する情報を使用者に提供する。
2006526337.tif 000002
【特許請求の範囲】
【請求項１】
オリジナル番組の一部又は全部の区間が録画された録画番組のダイジェスト再生を、ダイジェスト情報を参照して実行する再生装置であって、
録画番組について、オリジナル番組に対する録画区間の情報を含む、番組録画情報を生成する番組録画情報処理部と、
オリジナル番組について、ダイジェスト再生に用いるダイジェスト区間の情報を含む、ダイジェスト情報を蓄積するサーバと、ネットワークを介して通信する通信部と、
録画番組の前記番組録画情報と当該録画番組に関連する前記ダイジェスト情報とを比較し、少なくとも一部が前記録画区間と重複する前記ダイジェスト区間の情報を含んだ前記ダイジェスト情報を、前記サーバから取得するサーバダイジェスト情報処理部と、
前記サーバダイジェスト情報処理部が取得したダイジェスト情報に基づいて、録画番組を再生する再生処理部とを備える。
【請求項２】
前記サーバダイジェスト情報処理部が取得したダイジェスト情報に基づいて、録画番組が再生可能なダイジェスト区間の情報を含む、新たなダイジェスト情報を作成するユーザダイジェスト情報処理部をさらに備え、
前記再生処理部は、さらに前記ユーザダイジェスト情報処理部が作成した新たなダイジェスト情報に基づいて、録画番組を再生することを特徴とする、請求項１に記載の再生装置。
【請求項３】
録画番組について、前記録画区間のうち再生がされていない未再生区間の情報を含む、番組再生履歴情報を作成する番組再生履歴情報処理部をさらに備え、
前記ユーザダイジェスト情報処理部は、さらに前記番組再生履歴情報に基づいて、録画番組を前記未再生区間について再生するための新たなダイジェスト情報を作成することを特徴とする、請求項２に記載の再生装置。
【請求項４】
前記ユーザダイジェスト情報処理部は、１つの録画番組に関して前記サーバに蓄積されている複数のダイジェスト情報について、当該複数のダイジェスト情報に含まれる前記ダイジェスト区間を論理演算し、論理演算の結果得られるダイジェスト区間の情報を含む新たなダイジェスト情報をさらに作成することを特徴とする、請求項２に記載の再生装置。
【請求項５】
前記録画区間及び前記ダイジェスト区間の情報は、番組開始からの相対時刻で記述した時間情報であることを特徴とする、請求項２に記載の再生装置。
【請求項６】
前記録画区間、前記ダイジェスト区間、及び前記未再生区間の情報は、番組開始からの相対時刻で記述した時間情報であることを特徴とする、請求項３に記載の再生装置。
【請求項７】
前記ダイジェスト情報は、番組の画像品質に関する放送種別を含み、
前記サーバダイジェスト情報処理部は、前記放送種別を参照して前記取得するダイジェスト情報を決定することを特徴とする、請求項１に記載の再生装置。
【請求項８】
前記ダイジェスト情報は、番組に用いられた符号／復号化処理に関するコーデック種別を含み、
前記サーバダイジェスト情報処理部は、前記コーデック種別を参照して前記取得するダイジェスト情報を決定することを特徴とする、請求項１に記載の再生装置。
【請求項９】
前記ダイジェスト情報は、作成した個人又は団体を識別する情報を含み、
前記サーバダイジェスト情報処理部は、前記識別する情報を参照して前記取得するダイジェスト情報を決定することを特徴とする、請求項１に記載の再生装置。
【請求項１０】
前記ダイジェスト情報は、作成した個人又は団体による認証があるか否かに関する認証有無を含み、
前記サーバダイジェスト情報処理部は、前記認証有無を参照して前記取得するダイジェスト情報を決定することを特徴とする、請求項９に記載の再生装置。
【請求項１１】
前記ダイジェスト情報は、ダイジェスト区間における画像の動きに関するビットレートを含み、
前記サーバダイジェスト情報処理部は、前記ビットレートを参照して前記取得するダイジェスト情報を決定することを特徴とする、請求項１に記載の再生装置。
【請求項１２】
前記ダイジェスト情報は、ダイジェスト区間に対する誤差があるか否かに関する誤差有無を含み、
前記サーバダイジェスト情報処理部は、前記誤差有無を参照して前記取得するダイジェスト情報を決定することを特徴とする、請求項１に記載の再生装置。
【請求項１３】
前記ダイジェスト情報は、誤差が有る場合にダイジェスト区間の補正量を含むことを特徴とする、請求項１２に記載の再生装置。
【請求項１４】
前記誤差有無には、誤差が有る場合のダイジェスト区間の補正量が有償で取得可能であることを示す情報が含まれることを特徴とする、請求項１２に記載の再生装置。
【請求項１５】
オリジナル番組の一部又は全部の区間が録画された録画番組のダイジェスト再生を、ダイジェスト情報を参照して実行する再生方法であって、
録画番組について、オリジナル番組に対する録画区間の情報を含む、番組録画情報を生成するステップと、
オリジナル番組について、ダイジェスト再生に用いるダイジェスト区間の情報を含む、ダイジェスト情報を蓄積するサーバと、ネットワークを介して通信するステップと、
録画番組の前記番組録画情報と当該録画番組に関連する前記ダイジェスト情報とを比較し、少なくとも一部が前記録画区間と重複する前記ダイジェスト区間の情報を含んだ前記ダイジェスト情報を、前記サーバから取得するステップと、
前記取得したダイジェスト情報に基づいて、録画番組を再生するステップとを備える、再生方法。
【請求項１６】
オリジナル番組の一部又は全部の区間が録画された録画番組のダイジェスト再生を、ダイジェスト情報を参照して実行する方法を、コンピュータに実行させるためのコンピュータ読み取り可能なプログラムであって、
録画番組について、オリジナル番組に対する録画区間の情報を含む、番組録画情報を生成するステップと、
オリジナル番組について、ダイジェスト再生に用いるダイジェスト区間の情報を含む、ダイジェスト情報を蓄積するサーバと、ネットワークを介して通信するステップと、
録画番組の前記番組録画情報と当該録画番組に関連する前記ダイジェスト情報とを比較し、少なくとも一部が前記録画区間と重複する前記ダイジェスト区間の情報を含んだ前記ダイジェスト情報を、前記サーバから取得するステップと、
前記取得したダイジェスト情報に基づいて録画番組を再生するステップとを、コンピュータに実行させる、プログラム。
【請求項１７】
オリジナル番組の一部又は全部の区間が録画された録画番組のダイジェスト再生を、ダイジェスト情報を参照して実行する再生装置に用いられる集積回路であって、
オリジナル番組について、ダイジェスト再生に用いるダイジェスト区間の情報を含む、ダイジェスト情報を蓄積するサーバと、ネットワークを介して通信する通信部を備える再生装置に組み込まれ、
録画番組について、オリジナル番組に対する録画区間の情報を含む、番組録画情報を生成する番組録画情報処理部、
録画番組の前記番組録画情報と当該録画番組に関連する前記ダイジェスト情報とを比較し、少なくとも一部が前記録画区間と重複する前記ダイジェスト区間の情報を含んだ前記ダイジェスト情報を、前記サーバから取得するサーバダイジェスト情報処理部、及び
前記サーバダイジェスト情報処理部が取得したダイジェスト情報に基づいて、録画番組を再生する再生処理部として機能する回路を集積している、集積回路。
【発明の詳細な説明】
【技術分野】
【０００１】
本発明は、再生装置及びダイジェスト再生方法に関し、より特定的には、録画番組の再生処理を行う装置で実行される録画番組のダイジェスト再生方法、及び当該方法を適用した再生装置に関する。
【背景技術】
【０００２】
近年、番組を録画及び再生する装置として、記録媒体にハードディスクを用いるハードディスクレコーダが普及しつつある。このハードディスクレコーダは、従来のＶＨＳビデオカセットを記録媒体に用いる装置等に比べて、番組を長時間連続して録画することが可能である。このハードディスクレコーダの登場によって、番組録画の形態は、予め決めておいた番組だけを録画するという形態から、とりあえず全ての番組を録画しておいて、後から視聴又は保存する番組を決めるという形態（常時録画形態）に、移り変わって行くものと予想される。
【０００３】
ここで、常時録画形態等によって録画された未再生（未視聴）の番組の要否を決定するにあたり、番組の主要な場面をダイジェストで再生できれば、短時間で番組内容を確認できるので大変便利である。そこで、番組のダイジェストを作成して提供する手法が、様々に考えられている。
【０００４】
まず考えられる手法としては、ハードディスクレコーダが、自動的にダイジェストを作成する手法である。しかし、この場合、ハードディスクレコーダは、番組の内容に関係なくシーンチェンジを検出する毎や一定時間間隔毎に、機械的にダイジェスト再生の場所を抽出する程度しかできない。このため、番組の内容を的確に把握できるダイジェストを作成することは、非常に困難である。また、作成されたダイジェストの内容が、ハードディスクレコーダの使用者が最も知りたい内容になるとも限らない。
【０００５】
そこで、放送局等の番組提供元やハードディスクレコーダの使用者以外の第三者が、番組のインデックスを作成して提供する手法が考えられる（特許文献１及び２を参照）。この手法では、番組提供元や第三者が、番組における特徴的な場面や興味ある場面の位置を指示するためのインデックス（番組タイトルや絶対時刻等で構成される）を作成し、予めサーバ等に格納しておく。ハードディスクレコーダの使用者は、番組タイトル等を検索キーとしてサーバからインデックスの提供を受け、このインデックスに従って番組の一部分だけを再生することができる。
【特許文献１】特開２００２−２６２２２４号公報
【特許文献２】特開２００１−５４０７１号公報
【発明の開示】
【発明が解決しようとする課題】
【０００６】
しかしながら、上記手法では、番組提供元や第三者からハードディスクレコーダの使用者に提供される情報が、インデックスである。従って、サーバ等に格納されているインデックスが膨大になれば、そのインデックスの中から好みに合った目的の場面を探し出すために手間がかかる。
【０００７】
また、使用者は、インデックスによって指示される時刻からどれだけ視聴するのかを、自ら判断しなければならない。このため、不要に長時間視聴してしまったり、重要な場面を視聴せずに飛ばしたりすることも考えられ、ダイジェストを再生するという観点からすれば利便性がよいとは言えない。
【０００８】
それ故に、本発明の目的は、録画番組のダイジェスト再生を実行する際に、ユーザが録画している番組の内容やユーザの嗜好等に応じて最適なダイジェスト情報を取得できるようにすることで、番組提供元や第三者によって作成された番組ダイジェスト情報の流通促進及び利用容易性の向上を図った再生装置及びそのダイジェスト再生方法を提供することである。
【課題を解決するための手段】
【０００９】
本発明は、オリジナル番組の一部又は全部の区間が録画された録画番組のダイジェスト再生を、ダイジェスト情報を参照して実行する再生装置に向けられている。そして、上記目的を達成させるために、本発明の再生装置は、番組録画情報処理部、通信部、サーバダイジェスト情報処理部、及び再生処理部を備える。
【００１０】
番組録画情報処理部は、録画番組について、オリジナル番組に対する録画区間の情報を含む、番組録画情報を生成する。通信部は、オリジナル番組について、ダイジェスト再生に用いるダイジェスト区間の情報を含む、ダイジェスト情報を蓄積するサーバと、ネットワークを介して通信する。サーバダイジェスト情報処理部は、録画番組の番組録画情報とこの録画番組に関連するダイジェスト情報とを比較し、少なくとも一部が録画区間と重複するダイジェスト区間の情報を含んだダイジェスト情報をサーバから取得する。再生処理部は、サーバダイジェスト情報処理部が取得したダイジェスト情報に基づいて、録画番組を再生する。
【００１１】
本発明の再生装置は、さらに、サーバダイジェスト情報処理部が取得したダイジェスト情報に基づいて、録画番組が再生可能なダイジェスト区間の情報を含む、新たなダイジェスト情報を作成するユーザダイジェスト情報処理部を備えることもできる。この場合、再生処理部が、ユーザダイジェスト情報処理部が作成した新たなダイジェスト情報に基づいて、録画番組を再生することが可能となる。
【００１２】
また、録画番組について、録画区間のうち再生がされていない未再生区間の情報を含む、番組再生履歴情報を作成する番組再生履歴情報処理部をさらに備えてもよい。この場合、ユーザダイジェスト情報処理部が、さらに番組再生履歴情報に基づいて、録画番組を未再生区間について再生するための新たなダイジェスト情報を作成することができる。
【００１３】
また、１つの録画番組に関してサーバに蓄積されている複数のダイジェスト情報がある場合には、ユーザダイジェスト情報処理部が、この複数のダイジェスト情報に含まれるダイジェスト区間を論理演算し、論理演算の結果得られるダイジェスト区間の情報を含む新たなダイジェスト情報をさらに作成してもよい。
【００１４】
なお、録画区間の情報、ダイジェスト区間の情報、及び未再生区間の情報は、番組開始からの相対時刻で記述した時間情報であることが好ましい。また、ダイジェスト情報は、番組の画像品質に関する放送種別、番組に用いられた符号／復号化処理に関するコーデック種別、作成した個人又は団体を識別する情報、作成した個人又は団体による認証があるか否かに関する認証有無、ダイジェスト区間における画像の動きに関するビットレート、ダイジェスト区間に対する誤差があるか否かに関する誤差有無、又は誤差が有る場合にダイジェスト区間の補正量の、少なくとも１つの情報を含むことが好ましい。サーバダイジェスト情報処理部は、この情報を参照して取得するダイジェスト情報を決定することが可能となる。誤差が有る場合のダイジェスト区間の補正量は、有償で取得可能であってもよい。
【００１５】
また、上述した再生装置の各構成が行うそれぞれの処理は、一連の処理手順を与える番組のダイジェスト再生方法として捉えることができる。すなわち、録画番組についてオリジナル番組に対する録画区間の情報を含む番組録画情報を生成し、オリジナル番組についてダイジェスト再生に用いるダイジェスト区間の情報を含むダイジェスト情報を蓄積するサーバとネットワークを介して通信し、録画番組の番組録画情報とこの録画番組に関連するダイジェスト情報とを比較し、少なくとも一部が録画区間と重複するダイジェスト区間の情報を含んだダイジェスト情報をサーバから取得し、取得したダイジェスト情報に基づいて録画番組を再生する、ダイジェスト再生方法である。
【００１６】
上述した再生装置を構成する機能ブロックは、集積回路であるＬＳＩとして実現されてもよい。また、ダイジェスト再生方法は、一連の処理手順をコンピュータに実行させるためのプログラムの形式で提供される。このプログラムは、コンピュータ読み取り可能な記録媒体に記録された形態で、コンピュータに導入されてもよい。
【発明の効果】
【００１７】
以上のように、本発明によれば、ネットワークで接続されたサーバからダイジェスト情報を取得し、このダイジェスト情報に基づいて、使用者が録画した番組区間に対応したダイジェスト情報を作成する。これにより、再生装置の使用者は、第三者が作成した番組のダイジェストを利用して、自らが録画した番組区間に関するダイジェストを再生することが可能となる。
また、本発明によれば、使用者が録画した番組区間のうち、使用者がまだ視聴していない番組区間（未再生区間）だけに対応させたダイジェスト情報も作成できる。これにより、ダイジェストの重複視聴や視聴抜けを防止した効果的なダイジェスト再生を実現することができる。
また、本発明によれば、１つの番組について２つ以上のダイジェスト情報がサーバに蓄積されている場合には、論理演算等によって複数のダイジェスト情報を作成する。これにより、使用者は、様々な視点で作成された複数のダイジェスト情報の中から、自己の好みや視聴条件等に合った最適なダイジェストの再生を選択することができる。よって、急いでいるため短いダイジェストで番組の内容を把握したい等の、使用者の様々な要求に応えることができる。
さらには、本発明によれば、番組録画情報、番組再生履歴情報及びダイジェスト情報を、番組開始からの相対時刻で記述する。これにより、既存の番組システムに変更を加えることなく、本発明を適用させることが可能となる。
【発明を実施するための最良の形態】
【００１８】
以下、録画／再生装置がハードディスクレコーダである場合を一例に挙げて、本発明の実施形態を説明する。
図１は、本発明の一実施形態に係る録画／再生装置を用いたシステムの構成を示す図である。図１において、本実施形態のシステムは、番組を放送する放送局１０と、放送を受信する１つ以上の録画／再生装置２０と、番組のダイジェスト再生に関する情報を蓄積するサーバ４０と、録画／再生装置２０とサーバ４０とを通信可能に接続するインターネット等のネットワーク３０とによって構成される。録画／再生装置２０についての詳細を、以下に説明する。
【００１９】
図２は、図１の録画／再生装置２０の詳細な構成を示すブロック図である。図２において、録画／再生装置２０は、入力部２１と、制御部２２と、受信部２３と、録画／再生処理部２４と、ハードディスク（ＨＤＤ）２５と、表示部２６と、ダイジェスト情報管理部２７と、通信部２８とを備える。
【００２０】
入力部２１は、番組受信の指示、受信番組の録画及び録画番組の再生等の指示を、リモコン等を介して使用者から受け付ける。制御部２２は、入力部２１によって受け付けられた指示に基づいて、受信部２３、録画／再生処理部２４及びダイジェスト情報管理部２７を制御する。典型的には、この制御部２２は、所定の処理プログラムが格納されたＲＯＭやＲＡＭ、この処理プログラムを実行するＣＰＵ、及び時計部等で構成される。受信部２３は、チューナやエンコーダ等で構成され、アンテナを介して番組を受信し、受信した番組を録画／再生処理部２４へ出力する。録画／再生処理部２４は、受信部２３で受信された番組のハードディスク２５への記録処理、及びハードディスク２５に記録された番組の再生処理を実行する。表示部２６は、デコーダやＯＳＤ生成部等で構成され、録画／再生処理部２４で再生された番組をＴＶ等の画面表示に適した形式で出力する。
【００２１】
ダイジェスト情報管理部２７は、録画／再生処理部２４から録画処理に関する情報を取得し、この情報に基づいて所定の番組録画情報を生成する。また、ダイジェスト情報管理部２７は、録画／再生処理部２４から再生処理に関する情報を取得し、この情報に基づいて所定の番組再生履歴情報を生成する。さらに、ダイジェスト情報管理部２７は、ネットワーク３０上のサーバ４０から通信部２８を介して、所定の再生条件情報が対応付けられたサーバダイジェスト情報を取得する。この番組録画情報、番組再生履歴情報及びサーバダイジェスト情報は、ハードディスク２５に記録して管理される。そして、ダイジェスト情報管理部２７は、この管理している３つの情報から所定のユーザダイジェスト情報を作成し、このユーザダイジェスト情報に従って録画番組のダイジェスト再生に関する情報を使用者に提供する。
典型的には、このダイジェスト情報管理部２７は、制御部２２と同様に、ＲＯＭやＲＡＭに格納された所定の処理プログラムをＣＰＵが実行することによって、ソフトウエア的に実現される。
【００２２】
次に、ダイジェスト情報管理部２７が、番組録画時の処理、番組再生時の処理及びダイジェスト再生時に実行する処理を、それぞれ説明する。
図３は、図１のダイジェスト情報管理部２７の詳細な構成を示すブロック図である。図３において、ダイジェスト情報管理部２７は、番組録画情報の処理部を構成する番組録画情報取得部２７１及び番組録画情報管理部２７２と、番組再生履歴情報の処理部を構成する番組再生履歴情報取得部２７３及び番組再生履歴情報管理部２７４と、サーバダイジェスト情報の処理部を構成するサーバダイジェスト情報取得部２７５及びサーバダイジェスト情報管理部２７６と、ユーザダイジェスト情報の処理部を構成するユーザダイジェスト情報作成部２７７及びユーザダイジェスト情報管理部２７８とを備える。
【００２３】
（１）番組録画時の処理
録画／再生処理部２４によって行われる番組の録画処理に応じて、番組録画情報取得部２７１は、ハードディスク２５に記録された番組に関する所定の情報を、録画／再生処理部２４から取得する。この所定の情報とは、番組を識別する情報（番組ＩＤ）、番組のタイトル情報、ハードディスク２５上の番組が記録された位置を特定する情報（ファイル名）、１番組中の記録された部分に関する情報、番組の画像品質に関する放送種別情報、及び番組に用いられた符号／復号化処理に関するコーデック種別情報である。番組ＩＤ及び番組タイトルは、典型的には、放送局１０から番組と共に受信する電子番組ガイド（ＥＰＧ）から抽出される。放送種別情報及びコーデック種別情報は、後述するダイジェスト再生時に実行する処理で利用しなければ、所定の情報として必須ではない。
【００２４】
番組録画情報管理部２７２は、番組録画情報取得部２７１で取得された各情報に基づいて、図４に示す番組録画情報を番組単位で作成する。このとき、番組録画情報管理部２７２は、１番組中の記録された部分に関する情報、すなわち録画区間を示す情報を番組内記録インデックスとして管理する。この番組内記録インデックスは、録画を開始した時刻を表す開始時刻と録画を停止した時刻を表す終了時刻とが対で記述された１つ以上の区間インデックスと、区間インデックスの終了を表すＥＯＲとで構成される。これらの開始時刻及び終了時刻は、番組開始からの相対的な時刻、例えば「分」で表される。このように相対時刻を用いれば、放送局１０側等で番組の位置を示すマーカ等を新たに定義する必要がなく、既存の番組放送システムに変更を加えることなく適用させることが可能となる。なお、番組供給は放送に限られるものではなく、通信等であってもよい。
【００２５】
例えば、１時間番組である番組Ａを、最初から最後まで通して録画した場合には、開始時刻「０」及び終了時刻「６０」が記述された区間インデックスとＥＯＲとからなる番組内記録インデックスが作成される（図５Ａ）。また、２時間番組である番組Ｂを、番組開始後１０分から５０分までと、６０分から１１０分までの２回に分けて録画した場合には、開始時刻「１０」及び終了時刻「５０」が記述された第１の区間インデックスと、開始時刻「６０」及び終了時刻「１１０」が記述された第２の区間インデックスと、ＥＯＲとからなる番組内記録インデックスが作成される（図５Ｂ）。なお、ＥＯＲは、区間インデックスの開始時刻及び終了時刻の両方に「−１」を記述する等で表現すればよい。
【００２６】
各番組の番組録画情報は、例えば図６に示すような番組録画情報テーブルの形式で、ハードディスク２５内の所定の領域にまとめて記録される。この図６の例では、ゴルフ番組が放送開始から１２０分間録画されていることを、サッカー番組が放送開始後１０分から５０分の間と６０分から１１０分までの間だけ録画されていることを、野球番組が放送開始後１２分から５４分の間だけ録画されていることを示している。
【００２７】
また、番組録画情報管理部２７２は、番組録画情報の作成と同時に、後述する番組再生時の処理で用いられる番組再生履歴情報を作成する。この番組再生履歴情報は、各録画番組について使用者がまだ再生していない部分、すなわち未再生区間を示す情報であり、図９に示すように上述した番組録画情報のうちの番組ＩＤと番組内記録インデックスとで構成される。各録画番組の番組再生履歴情報も、例えば図１０に示すような番組再生履歴情報テーブルの形式で、ハードディスク２５内の所定の領域にまとめて記録される。
【００２８】
以下、図７及び図８を参照して、番組録画時に行われる番組録画情報及び番組再生履歴情報の作成手順を説明する。図７及び図８は、本発明の一実施形態に係る録画／再生装置２０で行われる番組録画処理の手順を示すフローチャートである。
【００２９】
制御部２２からの指示に応じて録画／再生処理部２４が受信番組の録画を開始すると、番組録画情報取得部２７１は、録画する番組の番組ＩＤ及び番組の放送が開始された時刻（番組放送開始時刻）を、録画／再生処理部２４から取得する（ステップＳ７０１）。また、番組録画情報取得部２７１は、番組の録画を開始した時の時刻（番組録画開始時刻）を、制御部２２が備える時計部等から取得する（ステップＳ７０２）。番組ＩＤ及び番組放送開始時刻は、ＥＰＧから抽出される。番組録画情報管理部２７２は、番組放送開始時刻から番組録画開始時刻までの差、すなわち番組経過時刻を算出する（ステップＳ７０３）。番組録画情報管理部２７２は、算出した番組経過時刻を開始時刻に設定した区間インデックスを生成し（ステップＳ７０４）、取得した番組ＩＤと共にハードディスク２５の空き領域に一時的に格納する（ステップＳ７０５）。
【００３０】
制御部２２からの指示に応じて録画／再生処理部２４が受信番組の録画を停止すると、番組録画情報取得部２７１は、録画した番組の記録位置（ファイル名）を録画／再生処理部２４から取得する（ステップＳ７０６）。また、番組録画情報取得部２７１は、番組録画を終了した時の時刻（番組録画終了時刻）を時計部等から取得する（ステップＳ７０７）。番組録画情報管理部２７２は、番組放送開始時刻から番組録画終了時刻までの差、すなわち番組経過時刻を算出する（ステップＳ７０８）。そして、番組録画情報管理部２７２は、番組録画時にハードディスク２５に格納した区間インデックスの終了時刻に、算出した番組経過時刻を設定する（ステップＳ７０９）。
【００３１】
このように１つの区間インデックスが設定されると、番組録画情報管理部２７２は、その番組ＩＤをキーとしてハードディスク２５の番組録画情報テーブルを検索し、同じ番組ＩＤの番組録画情報が記録されているか否かを確認する（ステップＳ７１０）。そして、同じ番組ＩＤの番組録画情報が記録されている場合には、番組録画情報管理部２７２は、次のようにして番組録画情報を更新する。まず、既存の番組の記録位置と今回録画された番組の記録位置とが連結される（ステップＳ７１１）。次に、既存の番組録画情報の番組内記録インデックス内に、ハードディスク２５に一時的に格納させた区間インデックスが挿入される（ステップＳ７１２）。一方、同じ番組ＩＤの番組録画情報が記録されていない場合には、番組録画情報管理部２７２は、番組ＩＤ、番組タイトル、記録位置（ファイル名）及びハードディスク２５に一時的に格納させた区間インデックスを含んだ番組内記録インデックスからなる新たな番組録画情報を、ハードディスク２５の番組録画情報テーブルに記録する（ステップＳ７１３）。
そして、番組録画情報を更新又は新たに作成した後、番組録画情報管理部２７２は、その情報に従って番組再生履歴情報を更新又は新たに作成する（ステップＳ７１４、Ｓ７１５）。
【００３２】
（２）番組再生時の処理
録画／再生処理部２４によって行われるハードディスク２５に格納されている録画済み番組の再生処理に応じて、番組再生履歴情報取得部２７３は、再生された録画済み番組に関する所定の情報を、録画／再生処理部２４から取得する。この所定の情報とは、番組ＩＤ及び１番組中の再生された部分に関する情報（未再生区間を示す情報）である。番組再生履歴情報管理部２７４は、番組再生履歴情報取得部２７３で取得された各情報に基づいて、図１０に示す番組再生履歴情報を更新する。
【００３３】
例えば、図６における野球番組（番組ＩＤ：０８２３８４２６５３）が、録画されているうちの放送開始時刻後１４分から５０分の間だけ部分的に再生された場合を考える。この場合、再生後の野球番組の未視聴部分は、放送開始後１２分から１４分の間と５０分から５４分の間だけとなる。よって、番組再生履歴情報管理部２７４は、この野球番組の番組再生履歴情報（図１０）を、開始時刻「１２」及び終了時刻「１４」が記述された第１の区間インデックスと、開始時刻「５０」及び終了時刻「５４」が記述された第２の区間インデックスと、ＥＯＲとからなる番組内記録インデックスに更新する（図１１）。
【００３４】
以下、図１２を参照して、番組再生時に行われる番組再生履歴情報の更新手順を説明する。図１２は、本発明の一実施形態に係る録画／再生装置２０で行われる番組再生処理の手順を示すフローチャートである。
【００３５】
制御部２２からの指示に応じて録画／再生処理部２４が録画番組の再生を開始すると、番組再生履歴情報取得部２７３は、再生する番組の番組ＩＤ及び番組放送開始時刻に対する番組再生開始の時刻を録画／再生処理部２４から取得する（ステップＳ１２０１）。そして、録画／再生処理部２４が録画番組の再生を終了すると、番組再生履歴情報取得部２７３は、番組放送開始時刻に対する番組再生終了の時刻を録画／再生処理部２４から取得する（ステップＳ１２０２）。番組再生履歴情報管理部２７４は、取得した番組ＩＤに対応する番組再生履歴情報を、ハードディスク２５から読み出す（ステップＳ１２０３）。次に、番組再生履歴情報管理部２７４は、番組内記録インデックスの各区間インデックスの開始時刻及び終了時刻と、番組再生開始時刻及び番組再生終了時刻とを比較する（ステップＳ１２０４）。そして、番組再生履歴情報管理部２７４は、番組再生開始時刻から番組再生終了時刻までの時間を除外した新たな区間インデックスを生成し、番組再生履歴情報を更新する（ステップＳ１２０５）。
【００３６】
（３）ダイジェスト再生時の処理
まず、図１に示したサーバ４０には、放送番組に関してダイジェストを提供するためのサーバダイジェスト情報が、予め蓄積されている。このサーバダイジェスト情報は、録画／再生装置２０のハードディスク２５に記録される番組録画情報（及び番組再生履歴情報）との間で、以下に説明するように、予め記録書式の整合が図られている。サーバダイジェスト情報は、放送局側で番組放送前に作成されてサーバ４０に予め蓄積されてもよいし、ネットワーク３０を介して接続されている不特定の録画／再生装置２０で作成されて、アップロードすることによってサーバ４０に蓄積されてもよい。
【００３７】
サーバダイジェスト情報は、図１３に示すように、ダイジェストＩＤ、番組ＩＤ、番組タイトル及びダイジェストタイトルからなるタイトル情報と、放送番組時間及びサーバダイジェスト時間からなるサーバダイジェスト時間情報と、番組内記録インデックスと、放送種別、コーデック種別、作成者、認証有無、ビットレート、誤差有無及び補正量からなる再生条件情報とから構成される。この再生条件情報は、ダイジェスト情報を絞り込んで検索する場合に利用される情報である。なお、再生条件情報の各項目は必須ではなく、ダイジェスト情報の作成者が使用する項目を任意に設定することが可能である。
【００３８】
ダイジェストＩＤは、ダイジェストを一意に識別可能な情報である。番組ＩＤ及び番組タイトルは、上記番組録画情報に含まれる情報と同じである。ダイジェストタイトルは、ダイジェストの内容を示す情報であって、サーバダイジェスト情報を作成した者によって任意に設定可能である。放送番組時間は、放送された番組全体の時間である。サーバダイジェスト時間は、番組内記録インデックスで指定される合計時間を示す。番組内記録インデックスは、上記番組録画情報に含まれる番組内記録インデックスと同一のルールによって設定され、ダイジェストとして再生すべき番組内の時間を表す。
【００３９】
放送種別は、どの画像品質で放送された番組向けなのかを示し、例えば高品位画質放送の場合が「ＨＤ」、標準画質放送の場合が「ＳＤ」、モバイル向け（低品位）画質放送の場合が「ＭＢ」に設定される。コーデック種別は、番組に用いられた符号／復号化処理を示す。作成者は、ダイジェスト情報を作成した個人又は団体を識別するための情報（名称や識別符号等）である。認証有無は、作成者に認証されたサーバダイジェスト情報であるかを示し、作成者が責任を持って編集したダイジェストか否かの確認に使用される（信頼性確認）。例えば、認証ありの場合が「１」、認証なしの場合が「０」に設定される。ビットレートは、ダイジェスト区間の平均ビットレートによって画像の動き度合いを示すものであり、動きが大きく激しい場面をダイジェストしている否かの確認に使用される。このビットレートには、平均ビットレートの値そのものが設定されてもよいし、平均ビットレートの値でランク分けされたクラス（例えば大、中、小）が設定されてもよい。
【００４０】
誤差有無は、コーデック種別で示された以外の方式で記録された番組にダイジェスト情報が利用される場合に、実際の番組時間とダイジェストの時間との間に誤差があるか否かを示すものであり、例えば、誤差ありの場合が「１」、誤差なしの場合が「０」に設定される。補正量は、誤差有無が「１」の場合にインデックスの各時間を補正する量が示される。なお、作成者が意図的に区間インデックスの各時間をずらしてダイジェスト情報を作成し、このずれを補正するための情報を別途有料で購入させることも考えられる（ダイジェストスクランブル：ＤＳ）。この場合には、誤差情報を「２」等に設定して、補正量が有償で取得可能なことをユーザに通知すればよい。
【００４１】
図１４に、サーバ４０に蓄積されているサーバダイジェスト情報の一例を示す。サーバダイジェスト情報は、図１４のように、１つの番組ＩＤに対して複数のダイジェスト情報が存在していてもよい。これは、複数の者（録画／再生装置２０の所有者）によって、異なる視点でダイジェストが作成されるからである。本発明では、このように様々な視点で作成された複数のダイジェスト情報の中から、最適な内容のダイジェスト情報を利用することができる点が特徴の１つである。
【００４２】
図１４に示す例では、放送番組時間が６０分の野球番組（番組ＩＤ：０８２３８４２６５３）に関して、「松井」が登場している場面をまとめた１３分のダイジェスト情報と、「イチロー」が登場している場面をまとめた８分のダイジェスト情報の２つが存在する。また、放送番組時間が１２０分のサッカー番組（番組ＩＤ：０８２４３１０５０１）に関して、「ゴール」の場面をまとめた５分のダイジェスト情報が存在する。さらに、放送番組時間が９０分の野球番組（番組ＩＤ：０８２２５２０１５６）に関して、「カドタｖｓヤマダ」の名場面をまとめた１９分のダイジェスト情報が存在する。
【００４３】
ここで、補正量の利用方法について説明する。図１５は、図１４に示す番号４のダイジェスト情報の補正量に従った、番組内記録インデックスの補正方法を説明する図である。補正量「＋３，＋６，−２，−４」は、それぞれ番組内記録インデックス「７，１４，４２，５４」の補正量を示している。よって、コーデック種別がＭＰＥＧ２以外である場合には、番組内記録インデックスが「１０，２０，４０，５０」に補正される。なお、補正量は、上述したように番組内記録インデックスの各時間に対応して個々に与えてもよいし、１つの情報だけを与えて、各時間を一律に補正してもよい。
【００４４】
以下、図１６を参照して、ダイジェスト再生時に行われるサーバダイジェスト情報の検索手順及びユーザダイジェスト情報の生成手順を説明する。図１６は、本発明の一実施形態に係る録画／再生装置２０で行われるダイジェスト再生処理の手順を示すフローチャートである。
【００４５】
ダイジェスト情報の検索指示を制御部２２から受けると、サーバダイジェスト情報取得部２７５は、通信部２８及びネットワーク３０を介してサーバ４０に接続し、サーバ４０に登録されているダイジェスト情報を検索する（ステップＳ１６０１）。そして、サーバダイジェスト情報取得部２７５は、表示部２６を介して外部のＴＶ画面に表示させること等を行って、検索したダイジェスト情報の概要を使用者に提示する（ステップＳ１６０２）。このとき、サーバダイジェスト情報取得部２７５は、ハードディスク２５に記録されている番組ＩＤを参照して、録画番組だけに関するダイジェスト情報の概要を表示することが好ましい。図１７は、検索結果画面の一例を示す図である。
【００４６】
利用者は、この検索結果画面を確認し、さらに絞り込んだ条件で再検索する必要があるか否かをサーバダイジェスト情報取得部２７５に指示する（ステップＳ１６０３）。再検索の必要がある場合には、利用者によって図１８に示すような条件入力画面を介して、絞り込み条件すなわち再生条件情報が設定される（ステップＳ１６０４）。再生条件情報が設定されると、サーバダイジェスト情報取得部２７５は、サーバ４０に登録されているダイジェスト情報を再検索して、検索したダイジェスト情報の概要を使用者に再提示する（ステップＳ１６０１、Ｓ１６０２）。図１９は、再検索結果画面の一例を示す図である。再検索の必要がない場合には、利用者は、提示画面の中からダイジェスト再生したい番組を選択する（ステップＳ１６０５）。図１９では、ダイジェストスクランブルが設定されている番組を選択した場合を示しており、この場合にはダイジェストスクランブルを解除するための情報を購入するか否かを選択する画面が提示される。なお、再生条件情報を用いて絞り込みを行わない場合には、上記ステップＳ１６０１〜Ｓ１６０５を省略して、以下のステップＳ１６１１から処理を開始してもよい。
【００４７】
利用者によってダイジェスト再生を希望する番組が指定されると、指定された番組のダイジェスト情報取得指示が、制御部２２からサーバダイジェスト情報取得部２７５へ伝えられる。制御部２２から取得指示を受けたサーバダイジェスト情報取得部２７５は、ダイジェストＩＤをサーバ４０に送信する（ステップＳ１６１１）。サーバ４０は、サーバダイジェスト情報取得部２７５からダイジェストＩＤを受信すると、蓄積されているサーバダイジェスト情報を検索し、当該ダイジェストＩＤに関連するサーバダイジェスト情報をサーバダイジェスト情報取得部２７５へ送信する。サーバダイジェスト情報取得部２７５は、サーバ４０から送信されてくるサーバダイジェスト情報を取得する（ステップＳ１６１２）。複数のサーバダイジェスト情報を取得する場合には、上記処理が繰り返し行われる。
【００４８】
サーバダイジェスト情報管理部２７６は、サーバダイジェスト情報取得部２７５が取得したサーバダイジェスト情報を、例えば図２０に示すようなサーバダイジェスト情報テーブルの形式で、ハードディスク２５内の所定の領域にまとめて記録する（ステップＳ１６１３）。
【００４９】
このとき、１つの番組に関して複数のサーバダイジェスト情報が存在する場合には、サーバダイジェスト情報管理部２７６は、これらの情報を利用して、次のような新たなダイジェスト情報を作成することが可能である（ステップＳ１６１４）。複数のサーバダイジェスト情報を１つにまとめた論理和的ダイジェスト情報や、複数のサーバダイジェスト情報の重複している部分だけを１つにまとめた論理積的ダイジェスト情報である。図２０の例では、「松井」又は「イチロー」のいずれかが登場している場面をまとめた１９分の論理和的ダイジェスト情報と、「松井」及び「イチロー」の両方が登場している場面をまとめた２分の論理積的ダイジェスト情報とを、新たに生成している。このように新たに生成されたダイジェスト情報（ダイジェストＩＤ「１１０１」及び「１１０２」）は、サーバ４０から取得したサーバダイジェスト情報（ダイジェストＩＤ「１００１」及び「１００２」）と共に、ハードディスク２５内の所定の領域に記録される。
【００５０】
サーバダイジェスト情報がハードディスク２５に記録されると、ユーザダイジェスト情報作成部２７７は、番組録画情報、番組再生履歴情報及びサーバダイジェスト情報を用いて、サーバダイジェスト情報にそれぞれ対応したユーザダイジェスト情報を作成する（ステップＳ１６１５）。
【００５１】
ユーザダイジェスト情報は、図２１に示すように、ダイジェストＩＤ、番組ＩＤ、タイトル情報、サーバダイジェスト時間情報、録画番組時間及びユーザダイジェスト時間からなるユーザダイジェスト時間情報から構成される。なお、番組内記録インデックスをさらに付加してもよい。ダイジェストＩＤは、作成されたユーザダイジェスト情報に付される情報であり、例えばシリアル番号である。番組ＩＤ、タイトル情報及びサーバダイジェスト時間情報は、上述したサーバダイジェスト情報に含まれる情報と同じである。録画番組時間は、番組録画情報の番組内記録インデックスで指定される合計時間を示す。ユーザダイジェスト時間は、以下のようにして求められる。
【００５２】
録画番組が使用者によってまだ再生されていない場合、ユーザダイジェスト情報作成部２７７は、番組録画情報の番組内記録インデックスで指定される時間とサーバダイジェスト情報の番組内記録インデックスで指定される時間との一致箇所を検出し、その一致箇所の合計時間をユーザダイジェスト時間として求める（図２２及び図２３）。すなわち、サーバダイジェスト情報の番組内記録インデックスを、番組録画情報の番組内記録インデックスに基づいて編集する。これにより、サーバダイジェスト情報のうち、録画している番組部分に関連するダイジェスト時間が求まる。
【００５３】
録画番組が使用者によって一部再生されている場合、ユーザダイジェスト情報作成部２７７は、番組再生履歴情報の番組内記録インデックスで指定される時間とサーバダイジェスト情報の番組内記録インデックスで指定される時間との一致箇所を検出し、その一致箇所の合計時間をユーザダイジェスト時間として求める（図２４及び図２５）。すなわち、サーバダイジェスト情報の番組内記録インデックスを、番組再生履歴情報の番組内記録インデックスに基づいて編集する。これにより、サーバダイジェスト情報のうち、録画している番組部分の未再生（未視聴）部分に関連するダイジェスト時間が求まる。
【００５４】
そして、ユーザダイジェスト情報管理部２７８は、表示部２６を介して外部のＴＶ画面に表示させること等を行って、ユーザダイジェスト情報作成部２７７で作成されたユーザダイジェスト情報を使用者に提示する（ステップＳ１６１６）。使用者は、提示されたユーザダイジェスト情報の中から、好みに合ったダイジェストの再生を実行させる（ステップＳ１６１７）。なお、ダイジェストの再生によって視聴された番組部分は、番組再生履歴情報に反映される（ステップＳ１６１８）。
【００５５】
なお、使用者の利便性を向上させるために、番組に対するダイジェストの割合をダイジェスト情報に含めてもよい。例えば、放送番組時間に対するサーバダイジェスト時間の割合や、番組録画情報から求まるユーザダイジェスト時間に対する番組再生履歴情報から求まるユーザダイジェスト時間の割合である（図２６Ａ及び図２６Ｂ）。図２６Ａでは、放送番組時間に対してどの程度まとめられたダイジェストかを、使用者に示すことができる。図２６Ｂでは、サーバダイジェスト情報から得られるダイジェスト時間の内、使用者が視聴していない番組部分に対応する時間を、使用者に示すことができる。
【００５６】
以上のように、本発明の一実施形態に係る録画／再生装置によれば、ネットワーク３０で接続されたサーバ４０からサーバダイジェスト情報を取得し、このサーバダイジェスト情報に基づいて、使用者が録画した番組部分（録画区間）に対応したユーザダイジェスト情報を作成する。これにより、録画／再生装置２０の使用者は、第三者が作成した番組のダイジェストを利用して、自らが録画した番組部分に関するダイジェストを再生することが可能となる。特に、番組ＩＤをサーバに送る前に再生条件情報を用いて予め対象を絞り込んでおくことで、容易に所望のダイジェスト情報を取得することができる。
【００５７】
また、本発明の一実施形態に係る録画／再生装置では、１つの番組について２つ以上のサーバダイジェスト情報がサーバ４０に蓄積されている場合には、複数のユーザダイジェスト情報を作成する。これにより、使用者は、自己の好み（ダイジェストの内容）や視聴条件（ダイジェスト再生に費やせる時間）等に合ったダイジェストの再生を選択することができる。よって、急いでいるため短いダイジェストで番組の内容を把握したい等の、使用者の様々な要求に応えることができる。
【００５８】
さらに、本発明の一実施形態に係る録画／再生装置では、使用者が録画した番組部分のうち、使用者がまだ視聴していない番組部分（未再生区間）だけに対応させたユーザダイジェスト情報を作成する。これにより、ダイジェストの重複視聴や視聴抜けを防止した効果的なダイジェスト再生を実現することができる。
【００５９】
なお、上記実施形態では、録画／再生装置２０が、サーバ４０からサーバダイジェスト情報を取得し、ユーザダイジェスト情報を作成する場合を説明した。しかし、録画／再生装置２０が、番組録画情報や番組再生履歴情報をサーバ４０へ送信し、サーバ４０が、これらの情報に基づいてユーザダイジェスト情報（例えば、ダイジェスト区間を示す情報を論理演算し、論理演算の結果得られるダイジェスト区間を有する新たなダイジェスト情報）を作成して録画／再生装置２０へ返送する構成にしても構わない。
【００６０】
また、上記実施形態では、番組内記録インデックスの区間インデックスに、番組放送開始時刻からの相対時刻である開始時刻及び終了時刻を設定する場合を説明した。しかし、放送局１０から放送される番組が予め定義された複数のマーカによって分割管理されているような場合には、区間インデックスにマーカを設定することでも、上述した機能を実現させることができる。
【００６１】
なお、本発明の録画／再生装置における制御部２２、録画／再生処理部２４、及びダイジェスト情報管理部２７等の各機能ブロックは、典型的には集積回路であるＬＳＩ（集積度の違いにより、ＩＣ、システムＬＳＩ、スーパーＬＳＩ、又はウルトラＬＳＩ等と称される）として実現される（図２を参照）。これらは、個別に１チップ化されてもよいし、一部又は全部を含むように１チップ化されてもよい。
また、集積回路化の手法は、ＬＳＩに限るものではなく、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
さらには、半導体技術の進歩又は派生する別の技術により、ＬＳＩに置き換わる集積回路化の技術が登場すれば、当然その技術を用いて機能ブロックの集積化を行ってもよい。バイオ技術の適応等が可能性としてあり得る。
【００６２】
また、本発明の再生方法は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、ＣＤ−ＲＯＭやフレキシブルディスク等の記録媒体を介して記憶装置内に導入されてもよいし、記録媒体上から直接実行されてもよい。
【産業上の利用可能性】
【００６３】
本発明は、放送局や第三者によって作成された番組のダイジェストに関する情報の流通促進等に寄与し、特にこの情報に基づいて録画番組の未再生部分及び使用者の視聴可能時間等を考慮しつつ録画番組のダイジェスト再生を実行する場合等に利用可能である。
【図面の簡単な説明】
【００６４】
【図１】本発明の一実施形態に係る録画／再生装置２０を用いたシステムの構成を示す図
【図２】録画／再生装置２０の詳細な構成例を示すブロック図
【図３】ダイジェスト情報管理部２７の詳細な構成例を示すブロック図
【図４】番組録画情報管理部２７２で作成される番組録画情報の構造例を示す図
【図５Ａ】図４の番組内記録インデックスに設定される情報を説明する図
【図５Ｂ】図４の番組内記録インデックスに設定される情報を説明する図
【図６】ハードディスク２５内に記録される番組録画情報テーブルの一例を示す図
【図７】録画／再生装置２０で行われる番組録画処理の手順の一例を示すフローチャート
【図８】録画／再生装置２０で行われる番組録画処理の手順の一例を示すフローチャート
【図９】番組録画情報管理部２７２で作成される番組再生履歴情報の構造例を示す図
【図１０】ハードディスク２５内に記録される番組再生履歴情報テーブルの一例を示す図
【図１１】図１０の番組内記録インデックスが番組再生履歴情報管理部２７４によって更新される一例を説明する図
【図１２】録画／再生装置２０で行われる番組再生処理の手順の一例を示すフローチャート
【図１３】サーバダイジェスト情報管理部２７６で作成されるサーバダイジェスト情報の構造例を示す図
【図１４】サーバ４０に蓄積されているサーバダイジェスト情報の一例を示す図
【図１５】図１４に示す番号４のダイジェスト情報の補正量に従った、番組内記録インデックスの補正方法を説明する図
【図１６】録画／再生装置２０で行われるダイジェスト再生処理の手順の一例を示すフローチャート
【図１７】サーバダイジェスト情報取得部２７５が行うダイジェスト検索の結果画面の一例を示す図
【図１８】ダイジェスト検索の絞り込み条件設定画面の一例を示す図
【図１９】サーバダイジェスト情報取得部２７５が行うダイジェスト検索の結果画面の一例を示す図
【図２０】ハードディスク２５内に記録されるサーバダイジェスト情報テーブルの一例を示す図
【図２１】ユーザダイジェスト情報作成部２７７で作成されるユーザダイジェスト情報の構造例を示す図
【図２２】ハードディスク２５内に記録されるユーザダイジェスト情報テーブルの一例を示す図
【図２３】図２２のユーザダイジェスト時間情報に設定される情報を説明する図（録画番組未視聴時）
【図２４】ハードディスク２５内に記録されるユーザダイジェスト情報テーブルの他の一例を示す図
【図２５】図２４のユーザダイジェスト時間情報に設定される情報を説明する図（録画番組の一部視聴時）
【図２６Ａ】ハードディスク２５内に記録されるユーザダイジェスト情報テーブルのさらに他の一例を示す図
【図２６Ｂ】ハードディスク２５内に記録されるユーザダイジェスト情報テーブルのさらに他の一例を示す図
【符号の説明】
【００６５】
１０  放送局
２０  録画／再生装置
２１  入力部
２２  制御部
２３  受信部
２４  録画／再生処理部
２５  ハードディスク（ＨＤＤ）
２６  表示部
２７  ダイジェスト情報管理部
２８  通信部
３０  ネットワーク
４０  サーバ
２７１  番組録画情報取得部
２７２  番組録画情報管理部
２７３  番組再生履歴情報取得部
２７４  番組再生履歴情報管理部
２７５  サーバダイジェスト情報取得部
２７６  サーバダイジェスト情報管理部
２７７  ユーザダイジェスト情報作成部
２７８  ユーザダイジェスト情報管理部
【図１】
2006526337.tif 000003
【図２】
2006526337.tif 000004
【図３】
2006526337.tif 000005
【図４】
2006526337.tif 000006
【図５Ａ】
2006526337.tif 000007
【図５Ｂ】
2006526337.tif 000008
【図６】
2006526337.tif 000009
【図７】
2006526337.tif 000010
【図８】
2006526337.tif 000011
【図９】
2006526337.tif 000012
【図１０】
2006526337.tif 000013
【図１１】
2006526337.tif 000014
【図１２】
2006526337.tif 000015
【図１３】
2006526337.tif 000016
【図１４】
2006526337.tif 000017
【図１５】
2006526337.tif 000018
【図１６】
2006526337.tif 000019
【図１７】
2006526337.tif 000020
【図１８】
2006526337.tif 000021
【図１９】
2006526337.tif 000022
【図２０】
2006526337.tif 000023
【図２１】
2006526337.tif 000024
【図２２】
2006526337.tif 000025
【図２３】
2006526337.tif 000026
【図２４】
2006526337.tif 000027
【図２５】
2006526337.tif 000028
【図２６Ａ】
2006526337.tif 000029
【図２６Ｂ】
2006526337.tif 000030
【誤訳訂正書】
【提出日】平成16年10月27日(2004.10.27)
【誤訳訂正１】
【訂正対象書類名】明細書
【訂正対象項目名】０００５
【訂正方法】変更
【訂正の内容】
【０００５】
そこで、放送局等の番組提供元やハードディスクレコーダの使用者以外の第三者が、番組のインデックスを作成して提供する手法が考えられる。この手法では、番組提供元や第三者が、番組における特徴的な場面や興味ある場面の位置を指示するためのインデックス（番組タイトルや絶対時刻等で構成される）を作成し、予めサーバ等に格納しておく。ハードディスクレコーダの使用者は、番組タイトル等を検索キーとしてサーバからインデックスの提供を受け、このインデックスに従って番組の一部分だけを再生することができる。
【国際調査報告】
2006526337.tif 000031
2006526337.tif 000032